(57)【要約】      （修正有）【課題】作業性、安全性を高めるとともに、コストも低減した打上花火発射用火薬収容部材を提供する。【解決手段】打上花火発射用火薬収容部材１は、発射用火薬を収容するための無天井、無底の略円筒形状の厚紙容器である。打上花火発射用火薬収容部材１は、この厚紙容器が下方に向かって縮径されたテーパ面３ａと、底面から内側に向かって延び出す環状支持部３ｂと、点火導線を導くための切欠５とを有し、厚紙容器の上面３ｃに打上飛翔体を載置する。【選択図】図１
0003163405.tif 000002
【実用新案登録請求の範囲】
【請求項１】
発射用火薬を収容するための略円筒形状の厚紙容器であって、該厚紙容器が下方に向かって縮径され、下端から内側に向かって延び出す支持部を形成し、前記発射用火薬の点火導線を導くための切欠又は孔を設け、前記厚紙容器の上面に打上飛翔体が載置されることを特徴とする打上花火発射用火薬収容部材。
【請求項２】
袋に収容された前記発射用火薬に前記点火導線と打上飛翔体の導火線が差し込まれる請求項１の打上花火発射用火薬収容部材。
【請求項３】
前記厚紙容器は、扇形状の帯板の両端を差込結合させ、プレス成形されることにより形成される請求項１または請求項２の打上花火発射用火薬収容部材。
【請求項４】
前記厚紙容器に複数の通気口を備えた請求項１ないし請求項３いずれかの打上花火発射用火薬収容部材。
【考案の詳細な説明】
【技術分野】
【０００１】
本考案は、打上花火の発射用火薬を収容する部材に関する。
【背景技術】
【０００２】
特許文献１、２に記載の考案は、打上筒内の底部に発射用火薬を充填し、その上に打上飛翔体を置き、発射用火薬に導火線を差し込んだものである。通常、現場で火薬をセットするため、作業性が劣っていた。花火を打ち上げるために、以前は打ち上げの現場で筒の中に火薬を入れ、現場で準備をしていた。最近は打ち上げ数が多いので、工場の中で支度をして現場に持っていくことが多くなった。
【先行技術文献】
【特許文献】
【０００３】
【特許文献１】実開６１−１５４５００号公報
【特許文献２】実開平３−１０４６９６号公報
【考案の概要】
【考案が解決しようとする課題】
【０００４】
しかしながら、従来の特許文献１〜２では、工場で打上花火を組み立てたとしても、火薬の充填作業など、作業時間、コストを要し、また、打上現場に移動したときに、振動等で導火線がずれたりするなど、作業性と安全性を改善する必要性があった。
【０００５】
そこで本考案は、作業性、安全性を高めるとともに、コストも低減することを課題とする。
【課題を解決するための手段】
【０００６】
上記課題に鑑み、請求項１の考案は、発射用火薬を収容するための円筒形状の厚紙容器であって、該厚紙容器が下方に向かって縮径され、下端から内側に向かって延び出す支持部を形成し、点火導線を導くための切欠又は孔を設け、前記厚紙容器の上面に打上飛翔体が載置されることを特徴とする打上花火発射用火薬収容部材である。
【０００７】
請求項２の考案は、袋に収容された前記発射用火薬に前記点火導線と打上飛翔体の導火線が差し込まれる請求項１の打上花火発射用火薬収容部材である。
【０００８】
請求項３の考案は、前記厚紙容器は、扇形状の帯体の両端を差込結合させ、プレス成形されることにより形成される請求項１または２の打上花火発射用火薬収容部材である。
【０００９】
請求項４の考案は、前記厚紙容器に複数の通気口を備えた請求項１ないし請求項３いずれかの打上花火発射用火薬収容部材である。
【考案の効果】
【００１０】
請求項１〜４の考案により、製造時間、製造コストが削減され、強度が確保され、環境への負荷が低くなる。また、打上花火の火薬の充填作業など、作業効率が大幅に向上する。さらに、打上現場に移動中または移動したときに、振動等で導火線の位置がずれにくく、作業性と安全性が高くなる。支持部があるので、発射用火薬を収容した袋が抜けにくく、発射用火薬及び打上飛翔体の保管上、安定性に優れている。打上花火発射用火薬収容部材は、中央が無底として形成されているので、発射用火薬の点火による噴射を直接開放することができ、打上げ高さがロスしない。発射用火薬の点火導線を導くための切欠又は孔を設けてあるので、点火導線のセット等が容易である。
【００１１】
請求項２の考案により、点火導線と、導火線とがずれにくくなる。火薬が散逸しずらくなる。
【００１２】
請求項３の考案により、製造工程が簡素化できる。
【００１３】
請求項４の考案により、発射用火薬の不完全燃焼を防止することができる。
【図面の簡単な説明】
【００１４】
【図１】本考案の一実施形態の打上花火発射用火薬収容部材の斜視図である。
【図２】同じく打上花火発射用火薬収容部材の背面から見た斜視図である。
【図３】同じく打上花火発射用火薬収容部材を形成する帯板の平面図である。
【図４】同じく打上花火発射用火薬収容部材に発射用火薬２を収容し、打上飛翔体６を載置した状態を示す断面図である。
【図５】打上筒１２内に打上花火発射用火薬収容部材、発射用火薬、打上飛翔体を組み付けた状態を示す断面図である。
【図６】通気口３ｄを設けた打上花火発射用火薬収容部材を形成する帯板の平面図である。
【図７】通気口３ｄを設けた打上花火発射用火薬収容部材の背面から見た斜視図である。
【考案を実施するための形態】
【００１５】
以下に、本考案の好適な一実施形態である打上花火発射用火薬収容部材１について図１〜図５を参照して説明する。
【００１６】
打上花火発射用火薬収容部材１は、発射用火薬２を収容するための無天井、無底の略円筒形状の下方に向かって先細な厚紙容器である。打上花火発射用火薬収容部材１は、この厚紙容器が下方に向かって縮径されたテーパ面３ａと、底面から内側に向かって延び出す環状支持部３ｂと、点火導線４を導くための切欠５とを有し、厚紙容器の上面３ｃに打上飛翔体６が載置されることを特徴とする。
【００１７】
発射用火薬２が袋７に収容され、発射用火薬２に点火導線４と打上飛翔体６の導火線８が発射用火薬２に差し込まれるようになっている。
【００１８】
打上花火発射用火薬収容部材１は、扇形状の厚紙からなる帯板１００の両端を差込結合させ、プレス成形されることにより形成される。この帯板１００は、外側周面１００ａに切欠５が形成され、右端部１０１から所定距離離れて差込口１０２が設けられ、左端部１０３から差込部１０４が突出している。この帯板１００から打上花火発射用火薬収容部材１を形成するには、まず、差込部１０３を差込口１０２に差込み、糊付けする。このとき結合線１０５が表面に現れる（図１、図２参照）。次に、これを下型に入れて上方から上型でプレスすると、打上花火発射用火薬収容部材１が形成される。
【００１９】
図４に示す通り、打上花火発射用火薬収容部材１には、テーパ面３ａ及び環状支持部３ｂに発射用火薬２が、上面３ｃに打上飛翔体６が、それぞれ載置され、打上飛翔体６と打上花火発射用火薬収容部材１はテープ９等で結合させる。このように結合させた打上花火発射用火薬収容部材１付の打上飛翔体６が打上筒１２内に収容される。このように打上飛翔体６を打上筒１２にセットしておくことができるので、現場での作業を大幅に省略でき、省力化に多大の貢献ができる。さらにコンピュータ制御により着火制御がされることが多いので、これに対して迅速な対応ができる。
【００２０】
本考案の実施形態の変形例として、図６及び図７に示すように、略円筒形状の厚紙容器のテーパ面３ａ´に複数個の通気口３ｄ´を設けることとしてより好適である。
【００２１】
上述の実施形態によれば、打上花火発射用火薬収容部材１を使用して打上飛翔体６である花火を打ち上げることにより、打上げ現場での発射用火薬２の充填などの作業時間がなくなるか、或いは、短縮化され、打上花火の組み立てが容易となり、打上花火全体としてのコストも削減できる。打上花火発射用火薬収容部材１は、必要最小限に留められた形状、大きさのため、生じるゴミも少なくて済む。厚紙であるので、環境への負荷が少ない。打上花火発射用火薬収容部材１は、原材料が厚紙であり、帯板１００を丸め差込口１０２に糊づけした差込部１０４を差し込んでプレスするだけで製造されるので、製造工程は簡素であり、必要な強度を保った上で、非常に安価に生産できる。打上花火発射用火薬収容部材１のテーパ面３ａによりテープ９が貼りやすく、組付け作業も容易である。また、環状支持部３ｂがあるので、発射用火薬２を収容した袋７が抜けにくく、発射用火薬２及び打上飛翔体６の保管上、安定性に優れている。さらに、打上花火発射用火薬収容部材１は、中央が無底として形成されているので、発射用火薬２の点火による噴射を直接開放することができ、打上げ高さがロスしない効果がある。
【００２２】
また、打上花火発射用火薬収容部材１や発射用火薬２の保管及び組付け作業においても、テーパ面３ａを有することにより、打上花火発射用火薬収容部材１を複数個、縦に積むことができ、収容スペースが激減する。なお、一般的に、打上花火の組み立て作業をするときには夏場に作業をすることが多く、非常に花火業者が多忙であり、単なる直すぐな有底の垂直紙管に火薬等を充填するものとすると、大きな箱に例えば１０００個以上詰め込んでおくので、スペースをとってしまうし、非常に作業がやりにくく、管理上も問題があるので、垂直紙管とする場合に比べて有利である。また、発射用火薬２及び打上飛翔体６を打上花火発射用火薬収容部材１に載置した状態で一時保管する等して、発射用火薬２及び打上飛翔体６を打上筒１２に収容することなく、かさばる打上筒１２を横倒しにして保管することができることもある等、取付作業の自由度や利便性が高まり、取付の作業が捗ることで作業効率が高くなる。
【００２３】
さらに、打上現場に移動中または移動した後でも、発射用火薬２は袋７に収容されているので散逸しづらくなり、振動等があっても、打上花火発射用火薬収容部材１の形状により、点火導線４と導火線８とがずれにくくなり、作業性や安全性を向上させ、管理を容易にすることができる。
【００２４】
略円筒形状の厚紙容器のテーパ面３ａ´に複数個の通気口３ｄ´を設けた場合には、発射用火薬２の燃焼に必要な酸素の供給路を確保することとなり、発射用火薬２の不完全燃焼による打上飛翔体６の打ち上げ高度不足を解消することができる。
【００２５】
なお、本考案の実施の形態は、下記の実施形態に何ら限定されるものではなく、本考案の技術的思想を逸脱しない範囲において、改変等を加えることができるものであり、それらの改変、均等物等も本考案の技術的範囲に含まれ、該技術的範囲に属する限り種々の形態を採り得ることは無論である。
【符号の説明】
【００２６】
１・・・打上花火発射用火薬収容部材
２・・・発射用火薬
３ａ・・・テーパ面
３ｂ・・・環状支持部
３ｃ・・・上面
４・・・点火導線
５・・・切欠
６・・・打上飛翔体
７・・・袋
８・・・導火線
９・・・テープ
１２・・・打上筒
１００・・・帯板
１００ａ・・・外側周面
１０１・・・右端部
１０２・・・差込口
１０３・・・左端部
１０４・・・差込部
１０５・・・結合線
【図１】
0003163405.tif 000003
【図２】
0003163405.tif 000004
【図３】
0003163405.tif 000005
【図４】
0003163405.tif 000006
【図５】
0003163405.tif 000007
【図６】
0003163405.tif 000008
【図７】
0003163405.tif 000009